(57)【要約】【課題】ファイルに関し、ポケット内に収納した書類を引き出す際に使用するスロットと、カードを収納するスロットを兼用させることができるようにしたものである。【解決手段】シートによって形成され少なくとも一端側が開放されたポケット110を備えたファイル10であって、ポケット110には、当該ポケット110に収納された収納物を開放された一端側へ引き出す際に内部へ指を挿入するための操作用孔部111を備え、当該操作用孔部111は、名刺などの所定のカードが挿入可能とされ、当該カードが挿入された状態でポケットにおける所定の相対位置に保つ。【選択図】図１
2010201725.tif 000002
【特許請求の範囲】
【請求項１】
シートによって形成され少なくとも一端側が開放されたポケットを備えたファイルであって、
前記ポケットには、当該ポケットに収納された収納物を前記開放された一端側へ引き出す際に内部へ指を挿入するための操作用孔部を備え、
当該操作用孔部は、名刺などの所定のカードが挿入可能とされ、当該カードが挿入された状態で前記ポケットにおける所定の相対位置に保つ、ファイル。
【請求項２】
前記操作用孔部は、
当該操作用孔部に挿入された前記所定のカードの一端部が前記ポケット内部の端部に当接した状態において、他の端部が当該操作用孔部の外に露出する位置、大きさに形成されている請求項１に記載のファイル。
【請求項３】
前記操作用孔部は、
前記操作用孔部に挿入された前記所定のカードの一端部が前記ポケット内部の端部に当接した状態において、他の端部が当該操作用孔部の外出し、かつ、前記シートが設けられた土台部に接触しない位置、大きさに形成されている、請求項１に記載のファイル。
【請求項４】
前記所定のカードは名刺と同等の大きさを有するカードであり、
前記操作用孔部は、
一辺が他辺よりも長いスロット状に形成されるとともに、
当該操作用孔部の長辺における前記所定のカードの挿入方向とは反対側の辺と、前記ポケットにおける前記所定のカードが挿入された状態において当該所定のカードと当接する前記内部の端部との距離が７０ｍｍ以上９０ｍｍ以下であり、
長辺方向の長さが５５ｍｍ以上７０ｍｍ以下である、請求項３に記載のファイル。
【発明の詳細な説明】
【技術分野】
【０００１】
この発明は、ファイルに関する。
【背景技術】
【０００２】
従来、表紙の内側のシートにスリットを設け、当該スリットからシート内にカードを収納させるようにしたファイルが知られている（例えば特許文献１の段落番号「０００６」、図１、特許文献２の段落番号「００２２」、図１参照）。
【先行技術文献】
【特許文献】
【０００３】
【特許文献１】特開平11-59047号公報
【特許文献２】登録実用新案第3051728号公報
【発明の概要】
【発明が解決しようとする課題】
【０００４】
しかし、上記したような従来のファイルは、種々の問題点があった。
（１）シートに設けられたスリットが、カードを収納するためにのみ使用されているに過ぎないという問題点があった。
【０００５】
（２）シート内に収納された書類を取り出すには、シートの中に指を入れて書類をつまみ出す必要があり、シートや書類を破損する可能性があるという問題点があった。
【課題を解決するための手段】
【０００６】
本発明は、上記のような問題点に鑑みなされたものである。
すなわち、本発明に係るファイルは、シートによって形成され少なくとも一端側が開放されたポケットを備えたファイルであって、ポケットには、収納された収納物を開放された一端側へ引き出す際に内部へ指を挿入するための操作用孔部を備え、操作用孔部は、名刺などの所定のカードが挿入可能とされ、カードが挿入された状態でポケットにおける所定の相対位置に保つ。
【０００７】
ここで、所定のカードとは、名刺、ポストカードなど種々のものがあるが、各実施形態においてはそれぞれ何れかの大きさのカードを挿入されることが想定されている。すなわち、名刺若しくはこれと同等の大きさのカードの挿入・保持用の（当該カードの挿入・保持が想定された）操作用孔部が設けられたファイルにおいては、当然、所定のカードとは名刺などとなる。
【０００８】
また、ファイルとは、書類などを綴じて保存するための綴じ込み、書類挟みを指し、パイプ式ファイルやバインダーファイルだけでなく、例えば、クリアファイルのポケットシートや用箋挟み（クリップファイル）、ルーズリーフのポケットシート、図面ファイルやキャリングケース、ドキュメントファイルなどのケースタイプのファイル、クリアホルダーなども含まれる。
【０００９】
本発明によれば、ポケットのシートに設けられた一つの貫通孔部が、ポケット内部の収納物の出し入れ操作用の指挿入部としても機能し、所定のカード保持部としても機能する。
【００１０】
より具体的には次のように構成することもできる。略矩形の表表紙と、表表紙と略同形状の裏表紙とを備える。表表紙及び裏表紙の少なくとも一方の内面には、シートによって形成され少なくとも一端側が開放されたポケットを備える。ポケットには、当該ポケットに収納された収納物を開放された一端側へ引き出す際に指を挿入するための操作用孔部を備えるとともに、当該操作用孔部に名刺などのカードを挿入可能とされている。
したがって、本願発明によれば、ポケット内に収納された書類を引き出す際に使用する操作用孔部に、名刺などのカードを収納することができる。
【００１１】
操作用孔部は、挿入された所定のカードの一端部がポケット内部の端部に当接した状態において、他の端部が当該操作用孔部の外に露出する位置、大きさに形成することが好ましい。
操作用孔部に挿入されたカードの端部が当該操作用孔部の外に露出しない場合、操作用孔部からポケット内にカードの全てが入り込んでしまうため操作用孔部によってカードをポケットにおける所定相対位置に「保持」することができないからである。
【００１２】
より好ましくは、操作用孔部は、操作用孔部に挿入された所定のカードの一端部がポケット内部の端部に当接した状態において、他の端部が当該操作用孔部の外出し、かつ、シートが設けられた土台部に接触しない位置、大きさに形成される。
このように構成すれば、カードがポケット内部に入り込んでしまい、操作用孔部によってポケットの相対位置に保持できなくなることを効果的に防止できる。すなわち、収納物はポケット内部に確実に保持されるとともに、カードはポケットに保持されつつもすぐに取り出すことができるようにすることができる。
【００１３】
操作用孔部は、一辺が他辺より長いスロット状に形成され、所定のカードは短辺方向に挿入されるようにした場合、長辺方向の長さは、所定のカードの前記挿入方向と直交する方向の幅と同じ長さ以上、当該幅の１．５倍以下であることが好ましい。このように設計すると、カードが操作用孔部において動いてしまい、ポケット内部に入り込んでしまうことを好適に防止できる。
【００１４】
望ましくは、操作用孔部は、一辺が他辺よりも長いスロット状に形成されるとともに、操作用孔部の長辺における所定のカードの挿入方向とは反対側の辺と、ポケットにおける所定のカードが挿入された状態において所定のカードと当接する内部の端部との距離が７０ｍｍ以上９０ｍｍ以下、長辺方向の長さが５５ｍｍ以上７０ｍｍ以下とされる。
このような操作用孔部を備えたファイルは、名刺若しくはこれと同等の大きさを備えたカードが挿入された場合に、操作用孔部を用いて前記カードを確実に保持することができる。
【００１５】
さらに、長辺における前記辺とは反対側の辺から前記内部の端部までの距離を５０ｍｍ以上８０ｍｍ以下（ただし前記辺と前記内部の端部までの距離を超えない距離）にすると、より確実にカードを操作用孔部にて保持できる。
名刺のサイズは、横９１ｍｍ、縦５５ｍｍであることが多く、名刺を操作用孔部に挿入した場合であっても、当該名刺が操作用孔部に入り込むことがない。
そのため、本願発明によれば、特に、カードとして名刺を操作用孔部に挿入した場合でも取り出しやすくできる。
【発明の効果】
【００１６】
本願各発明は、以上のように構成されているので、以下に記載されるような効果を奏する。
すなわち、本願各発明によれば、ポケット内に収納した書類を引き出す際に使用するスロットと、カードを収納するスロットを兼用させることができる。
【図面の簡単な説明】
【００１７】
【図１】本発明の第１の実施の形態の一例を示し、同図はファイルを開いた状態を示す斜視図である。
【図２】ファイルを閉じた状態を示す斜視図である。
【図３】ファイルを開いた状態を示す平面図である。
【図４】図３に対応し、ファイルを開いた状態を、ポケットを実線で、その他を破線で示す参考平面図である。
【図５】ファイルを開いた状態を示す底面図である。
【図６】図５に対応し、ファイルを開いた状態を、ポケットを実線で、その他を破線で示す参考底面図である。
【図７】ファイルを開いた状態を示す正面図である。
【図８】図７に対応し、ファイルを開いた状態を、ポケットを実線で、その他を破線で示す参考正面図である。
【図９】ファイルを開いた状態を示す背面図である。
【図１０】図９に対応し、ファイルを開いた状態を、ポケットを実線で、その他を破線で示す参考背面図である。
【図１１】ファイルを開いた状態を示す左側面図である。
【図１２】図１１に対応し、ファイルを開いた状態を、ポケットを実線で、その他を破線で示す参考左側面図である。
【図１３】ファイルを開いた状態を示す右側面図である。
【図１４】図１３に対応し、ファイルを開いた状態を、ポケットを実線で、その他を破線で示す参考右側面図である。
【図１５】図３のＡ−Ａ線に沿う断面図である。
【図１６】図３のＢ−Ｂ線に沿う断面図である。
【図１７】図３のＣ−Ｃ線に沿う断面図である。
【図１８】図４のＡ−Ａ線に沿う断面図である。
【図１９】図４のＢ−Ｂ線に沿う断面図である。
【図２０】図４のＣ−Ｃ線に沿う断面図である。
【図２１】ポケットに封筒を入れた状態を示す説明図である。
【図２２】操作用孔部に名刺を入れた状態を示す説明図である。
【図２３】ポケットに封筒を、操作用孔部に名刺をそれぞれ入れた状態を示す説明図である。
【図２４】図３に対応し、ポケットの変形例を説明するための平面図である。
【図２５】本発明の第２の実施の形態の一例を示し、同図はポケットをリング式の綴じ具を有するファイルの表紙に用いた状態を示す平面図である。
【図２６】図２５に対応し、ポケットの変形例を説明するための平面図である。
【図２７】本発明の第３の実施の形態の一例を示し、同図はポケットをクリップファイルの表紙に用いた状態を示す平面図である。
【図２８】図２７のクリップファイルを閉じた状態を示す平面図である。
【図２９】図２７に対応し、ポケットの変形例を説明するための平面図である。
【図３０】本発明の第４の実施の形態の一例を示し、同図はポケットをクリアファイルを有するファイルの表紙に用いた状態を示す平面図である。
【図３１】図３０に対応し、ポケットの変形例を説明するための平面図である。
【図３２】本発明の第５の実施の形態の一例を示し、同図はポケットをルーズリーフに用いた状態を示す平面図である。
【発明を実施するための形態】
【００１８】
本発明の実施例を、図面を用いて以下に説明する。
この実施例に係るファイル10は、図２に示すように、大別すると、次のパーツを備える。
（１）表表紙100
（２）裏表紙200
（３）背見出し用紙入れ300
【００１９】
（表表紙100）
表表紙100は、例えば薄板状のポリプロピレンなどの合成樹脂素材をプレス裁断機などを用いて裁断した１枚の板状部材から形成されている。
【００２０】
表表紙100は、図１及び図３に示すように、次の各部を備える。
（１）ポケット110
（２）壁片120
（３）用紙入れ部130
（４）表側背表紙部140
【００２１】
（ポケット110）
ポケット110は、図１及び図３に示すように、表表紙100の内側に備えられる。
ポケット110は、上辺を開放するように、左辺110b、右辺110c、下辺110dを熱溶着により、例えばポリプロピレンなどの透明なシートを表表紙100の内側に、貼り付けて形成される。
【００２２】
また、ポケット110は、図３に示すように、当該ポケット110から収納された書類の上部が露出して、当該書類を取り出しやすくするために、上辺110aを左下がりの斜めに構成している。
【００２３】
なお、ポケット110の上辺110aは、左下がりの斜めに限定されず、図２４に示すように、右下がりの斜めに構成しても良い。ただし、斜めに形成しなくても良く、下辺110dと上辺110aを平行に構成しても良い。
【００２４】
ポケット110は、図１及び図３に示すように、次の各部を備える。
（１）操作用孔部111
操作用孔部111は、ポケット110に挿入された書類を引き出すことを補助するためのものである。
具体的には、図２１に示すように、ポケット110に例えば長形３号の封筒Ｈを収納した場合に、当該封筒Ｈを取り出す際に、操作用孔部111は、ファイル10の内側から例えば人差し指などで書類を徐々に上側に持ち上げて、書類をポケット110から取り除くためのものである。
【００２５】
操作用孔部111は、図３に示すように、ポケット110の開放側である横方向に短辺111aを有し、縦方向に長辺111bを有するスリット状をなしている。
【００２６】
操作用孔部111の長辺111bの右辺は、図３に示すように、操作用孔部111の長辺111bと対向するポケット110の右辺110cのポケット内側端部の辺から約７２ｍｍ、操作用孔部111の長辺111bの左辺は、操作用孔部111の長辺111bと対向するポケット110の右辺110cのポケット内部端部の辺から約８８ｍｍに設けられている。
標準的サイズである、横９１ｍｍ、縦５５ｍｍの名刺Ｍを操作用孔部111の左側から、当該名刺Ｍの右端がポケット110の右辺110c側の奥までポケット110に挿入された場合であっても、名刺Ｍがポケットの中に入りきることなく、かつ、名刺Ｍの左端が操作用孔部111の外に少なくとも約１９ｍｍ露出する。
このため、操作用孔部に挿入された名刺Ｍを引き出す際に、名刺Ｍの左端を持ちやすくすることができる。
【００２７】
また、操作用孔部111の縦方向の長さは、約７０ｍｍに設定されており、名刺Ｍの長辺側の長さ（例えば９１ｍｍ）より短くされている。
これにより、操作用孔部111に名刺Ｍの長辺側から挿入することができず、ポケット110の中に名刺Ｍが全て入ってしまい、名刺Ｍを取り出し難くなることを防止している。
【００２８】
なお、操作用孔部111の位置、大きさは当然上記に限定されず、課題を解決するための手段欄に記載のように設計することができる。また、形状も上記に限定されず、上記技術的思想を実現できる形状であればよい。すなわち、操作用孔部111に挿入されることが想定・規定されているカードに対し、これを「操作用孔部111及びポケット110によって」ポケットの相対位置に、取り出し性・挿入性を保ちつつ保持できるように操作用孔部111の位置、大きさ、形状などは設定される。
【００２９】
操作用孔部111の短辺111aは、図３に示すように、半円形状に構成されている。
これにより、仮に操作用孔部111を長方形状に構成した場合の操作用孔部111に挿入されるカードが操作用孔部111の角により損傷することを防止している。
【００３０】
また、図２３に示すように、ポケット110と操作用孔部111とにそれぞれ異なる書類（ポケット110に長形３号の封筒Ｈ、操作用孔部111に名刺Ｍ）を挿入することもできる。
【００３１】
（壁片120）
壁片120は、図１〜図３に示すように、表表紙100の左辺101・上辺102・下辺103を図示しないが薄肉のヒンジで表表紙100の内側へ約９０度折り返してなるものである。
【００３２】
また、壁片120は、図１に示すように、左辺101の上端と上辺102の左端、左辺101の下端と下辺103の左端をそれぞれ接着させて表表紙100の外縁を囲むように構成されている。
これにより、裏表紙200に対する蓋としての機能も果たすことができる。また、壁片120によりファイル10の厚さを形成している。すなわち、壁片120を大きくするとファイル10を厚くして、収納物を多く収納でき、壁片120を小さくすると、スリムな薄型のファイル10を構成することができる。
【００３３】
下辺103の折り返し幅は、図７に示すように、上辺102の折り返し幅に比べ少なく（小さく）設定されている。
具体的には、上辺102の折り返し幅は、薄型のファイル10タイプで約１５ｍｍ、厚型のファイル10タイプで約３０ｍｍに設定されているのに対し、下辺103の折り返し幅は、約９ｍｍに設定されている。
これにより、ファイル10の厚さを保持しつつ、ファイル10を開いた状態で、収納物を見ているような場合に、開いたファイル10の下辺103の上に腕（特に左腕）が置かれた場合であっても、壁片120が自然にしなりやすく邪魔にならないようにしてある。
【００３４】
また、壁片120は、ファイル10を閉じた場合に、裏表紙200を内側に納めるように折り曲げ角度を弱めて、若干外側に膨らむように構成されており、図２に示すように、後述する壁部210と重なってファイル10を閉じるようにしている。
【００３５】
左辺101を折り返した壁片120の内側には、図３に示すように、面ファスナー121を備えている。
これにより、壁部210の面ファスナー212に貼り付き、ファイル10が開くことを防止することができる。
【００３６】
（用紙入れ部130）
用紙入れ部130は、図２及び図５に示すように、表表紙100の外側に設けられる。
用紙入れ部130は、例えば、オフィス内でファイル10を回覧する際に、コメントや、担当者の氏名、回覧チェックした者が捺印する捺印欄などを有する回覧チェックシート（連絡表）などの用紙を保持するためのものである。
【００３７】
用紙入れ部130は、図２及び図５に示すように、略四角形状のシート状枠体であって、上辺を開放し、左辺・右辺・下辺を表表紙100の外側に熱接着されている。
用紙入れ部130は、図１及び図３に示すように、次の各部を備える。
（１）窓部131
（２）切欠132
（窓部131）
窓部131は、用紙入れ部130に保持された回覧チェックシート（連絡表）などを取り出さずに捺印などを可能にするものであり、ロ字状に構成されている。
【００３８】
（切欠132）
用紙入れ部130の上部には、図２及び図５に示すように、用紙取り出し用の切欠132が設けられている。
切欠132は、用紙入れ部130の上辺の中央部に設けられ、窓部131側に向かって用紙入れ部130を切り欠いている。
これにより、切欠132から用紙入れ部130に挿入された用紙の一部が露出し、用紙を取り出しやすくすることができる。
【００３９】
（表側背表紙部140）
表側背表紙部140は、図３に示すように、表表紙100の右辺104に設けられ、図７及び図９に示すように、後述する裏表紙200の裏側背表紙部220と重ね合わされた状態で貼り合わされて、ファイル10の背表紙を形成するものである。
【００４０】
（裏表紙200）
裏表紙200は、例えば薄板状のポリプロピレンなどの合成樹脂素材をプレス裁断機などを用いて裁断した１枚の板状部材から形成されている。
【００４１】
裏表紙200は、図１及び図３に示すように、次の各部を備える。
（１）壁部210
（２）裏側背表紙部220
【００４２】
（壁部210）
壁部210は、図１に示すように、裏表紙200の右辺201・上辺202・下辺203を図示しないが３段の薄肉のヒンジで裏表紙200の内側へ断面四角形状になるように折り返してなるものである。
そして、図１及び図３に示すように、折り返した先端部分（１段目の薄肉ヒンジ）のみ逆側に折り返して裏表紙200の内側と接するようにし、裏表紙200と熱溶着させている。
【００４３】
また、壁部210は、図１及び図３に示すように、裏表紙200の右辺201の上端と上辺202の右端、右辺201の下端と下辺203の右端をそれぞれ接着させて裏表紙200の外縁を囲むように構成されている。
これにより、ファイル10に収納された書類などが脱落しないように、表表紙100に対する収納箱としての機能も果たすことができる。また、壁部210によりファイル10の厚さを形成している。すなわち、壁部210を高くするとファイル10を厚くして、収納物を多く収納でき、壁部210を低くすると、スリムな薄型のファイル10を構成することができる。
【００４４】
裏表紙200の右辺201を折り返した壁部210には、図１に示すように、面ファスナー212が設けられている。
面ファスナー212は、ファイル10を閉じた際に、表表紙100の左辺101を折り返した壁片120の内側に設けられた面ファスナー121と接触する位置に設けられており、ファイル10を閉じた状態で維持させる。
【００４５】
また、裏表紙200の上辺202を折り返した壁部210は、図１１及び図１７に示すように、当該壁部210の上辺212の断面四角形状の空洞部分に、左側からボールペンなどの筆記用具若しくは当該筆記具の衣服の胸ポケットに保持するためのクリップなどを挿入可能なペン保持部211を備えている。
ペン保持部211は、裏表紙200の上辺202を折り返した壁部210を、図３に示すように、裏表紙200の下辺203を折り返した壁部210とは異なり、筆記用具の一部が露出した状態でも表表紙100を閉じることを可能とするために、裏表紙200の左辺から約５０ｍｍ短くすることにより形成されている。
【００４６】
（裏側背表紙部220）
裏側背表紙部220は、図３に示すように、裏表紙200の左辺204に設けられ、図５及び図６に示すように、表側背表紙部140と重ね合わされた状態で接着されて、ファイル10の背表紙を構成するものである。
【００４７】
（背見出し用紙入れ300）
背見出し用紙入れ300は、図５に示すように、表表紙100の外側から裏表紙200の外側半分（図中上半分）にわたって設けられ、ファイル10の表紙となる背見出し用紙を収納するためのものであり、背見出し用紙が視認可能な透明のシートにより構成されている。
背見出し用紙入れ300は、図５に示すように、左右の一方を表表紙100に、他方を裏表紙200に接着され、上下方向が開放されており、当該開放されている上下方向の何れかから背見出し用紙を挿入し、及び、取り出すように構成されている。
【００４８】
（第２の実施の形態）
つぎに、図２５を用いて、本発明の第２の実施の形態について説明する。
本実施の形態の特徴は、図２５に示すように、ポケット110をリング式の綴じ具400を有するファイル10の表表紙100の内側に設けたものである。
本実施の形態によれば、様々なファイル10にポケット110を設けることができる。
なお、本実施の形態の説明では、先に図１〜２４を用いて説明した第１の実施の形態と同一の構成部分については、同一の符号を付して説明を省略する。
【００４９】
また、ポケット110は、図２５に示すように、当該ポケット110から収納された書類の上部が露出して、当該書類を取り出しやすくするために、上辺110aを左下がりの斜めに構成している。
なお、ポケット110の上辺110aは、左下がりの斜めに限定されず、図２６に示すように、右下がりの斜めに構成しても良い。ただし、斜めに形成しなくても良く、下辺110dと上辺110aを平行に構成しても良い。
【００５０】
（第３の実施の形態）
つぎに、図２７を用いて、本発明の第３の実施の形態について説明する。
本実施の形態の特徴は、図２７に示すように、ポケット110を所謂クリップファイル500に設けたものである。
本実施の形態によれば、様々なファイル10にポケット110を設けることができる。
なお、本実施の形態の説明では、先に図１〜２４を用いて説明した第１の実施の形態と同一の構成部分については、同一の符号を付して説明を省略する。
【００５１】
クリップファイル500の裏表紙200は、図２７に示すように、次の各部を備える。
（１）クリップ部510
クリップ部510は、図２７に示すように、裏表紙200の上辺202の左右方向の略中央部に設けられ、クリップファイル500に収容する書類を挟んで綴じるものである。
【００５２】
また、表表紙100の上辺102の左右方向の略中央部には、図２７及び図２８に示すように、表表紙100を閉じた際にクリップ部500が邪魔にならないように、下方に向けた凹部102aを設けている。
【００５３】
ポケット110は、図２７に示すように、当該ポケット110から収納された書類の上部が露出して、当該書類を取り出しやすくするために、上辺110aを左下がりの斜めに構成している。
なお、ポケット110の上辺110aは、左下がりの斜めに限定されず、図２９に示すように、右下がりの斜めに構成しても良い。ただし、斜めに形成しなくても良く、下辺110dと上辺110aを平行に構成しても良い。
【００５４】
（第４の実施の形態）
つぎに、図３０を用いて、本発明の第４の実施の形態について説明する。
本実施の形態の特徴は、図３０に示すように、ポケット110を所謂クリアファイル600を有するファイル10に設けたものである。
本実施の形態によれば、様々なファイル10にポケット110を設けることができる。
なお、本実施の形態の説明では、先に図１〜２４を用いて説明した第１の実施の形態と同一の構成部分については、同一の符号を付して説明を省略する。
【００５５】
ファイル10の背表紙部600には、図３０に示すように、次の各部を備える。
（１）クリアファイル610
クリアファイル610は、透明なシートを２枚重ね、一端側、例えば上部側を開放して、他を熱溶着により貼り合わせて形成され、当該２枚のシートの間に書類を収容するものである。
なお、クリアファイル610は、背表紙部600に備えられる場合に限定されず、裏表紙200の内側に、貼り付けて形成されても良い。
【００５６】
また、クリアファイル610は、図３０に示すように、複数枚重ね合わさるように設けられている。
【００５７】
ポケット110は、図２７に示すように、当該ポケット110から収納された書類の上部が露出して、当該書類を取り出しやすくするために、上辺110aを左下がりの斜めに構成している。
なお、ポケット110の上辺110aは、左下がりの斜めに限定されず、図３１に示すように、右下がりの斜めに構成しても良い。ただし、斜めに形成しなくても良く、下辺110dと上辺110aを平行に構成しても良い。
（第５の実施の形態）
つぎに、図３２を用いて、本発明の第５の実施の形態について説明する。
本実施の形態の特徴は、図３２に示すように、ポケット110を所謂ルーズリーフ500に設けたものである。
例えば左辺に沿ってファイル10に綴じ込まれる１７個の綴じ孔510が設けられ、当該綴じ孔510に図示しないが、ファイル10の綴じ具のリングを挿入することで使用される。
本実施の形態によれば、ポケット110の数を増やすことや、ポケット110を交換することを容易にすることができる。
なお、本実施の形態の説明では、先に図１〜２４を用いて説明した第１の実施の形態と同一の構成部分については、同一の符号を付して説明を省略する。
【符号の説明】
【００５８】
（第１の実施の形態）
10  ファイル
100  表表紙              101  左辺
102  上辺                103  下辺
104  右辺                110 ポケット
111  操作用孔部          111a  短辺
111b  長辺               120  壁片
121  面ファスナー        130  用紙入れ部
131  窓部                132  切欠
140  表側背表紙部
200  裏表紙              201  右辺
202  上辺                203  下辺
204  左辺                210  壁部
211  ペン保持部          212  面ファスナー
220  裏側背表紙部        300  背見出し用紙入れ
Ｍ  名刺                 Ｈ  封筒
（第２の実施の形態）
400  綴じ具
（第３の実施の形態）
500  クリップファイル    510  クリップ部
102a  凹部
（第４の実施の形態）
600  背表紙部            610  クリアファイル
（第５の実施の形態）
700  ルーズリーフ        710  綴じ孔
【図１】
2010201725.tif 000003
【図２】
2010201725.tif 000004
【図３】
2010201725.tif 000005
【図４】
2010201725.tif 000006
【図５】
2010201725.tif 000007
【図６】
2010201725.tif 000008
【図７】
2010201725.tif 000009
【図８】
2010201725.tif 000010
【図９】
2010201725.tif 000011
【図１０】
2010201725.tif 000012
【図１１】
2010201725.tif 000013
【図１２】
2010201725.tif 000014
【図１３】
2010201725.tif 000015
【図１４】
2010201725.tif 000016
【図１５】
2010201725.tif 000017
【図１６】
2010201725.tif 000018
【図１７】
2010201725.tif 000019
【図１８】
2010201725.tif 000020
【図１９】
2010201725.tif 000021
【図２０】
2010201725.tif 000022
【図２１】
2010201725.tif 000023
【図２２】
2010201725.tif 000024
【図２３】
2010201725.tif 000025
【図２４】
2010201725.tif 000026
【図２５】
2010201725.tif 000027
【図２６】
2010201725.tif 000028
【図２７】
2010201725.tif 000029
【図２８】
2010201725.tif 000030
【図２９】
2010201725.tif 000031
【図３０】
2010201725.tif 000032
【図３１】
2010201725.tif 000033
【図３２】
2010201725.tif 000034